(57)【要約】【課題】天井材下側の部屋に対する防振防音効果が確実に発揮できるようにする。【解決手段】建物の１階部分及び２階部分の間に配置される上部構造体１と、野縁１３に取り付けられる天井材１４を野縁受材１２を介して吊り下げ支持する天井根太１１との間に天井根太用防振取付金具２１を介在させる。この天井根太用防振取付金具２１は、上部構造体１の周囲材２（床梁材）に取付固定されるベース金具２２と、このベース金具２２に水平方向に対向して配置され、天井根太１１の端部が取付固定される根太金具２８と、これらベース金具２２及び根太金具２８の間に一体的に接着されて固定され、両者を連結するゴム弾性体３７とを備えてなるものとする。施工状態では上部構造体１の周囲材２側と天井根太１１側との間に天井根太用防振取付金具２１のゴム弾性体３７のみが介在される構造とする。【選択図】図４
2014037751.tif 000002
【特許請求の範囲】
【請求項１】
建物における躯体の側部に取付固定されるベース金具と、
上記ベース金具に水平方向に対向して配置され、野縁を介して天井材を吊り下げ支持するための天井根太が取付固定される根太金具と、
上記ベース金具と根太金具との間に一体的に接着されて固定され、両者を連結するゴム弾性体とを備えてなり、
施工状態で上記躯体側と天井根太側との間に上記ゴム弾性体のみが介在されるように構成されていることを特徴とする天井根太用防振取付金具。
【請求項２】
請求項１において、
ベース金具と根太金具とのゴム弾性体による連結が解除されたときに根太金具がベース金具に対して落下するのを阻止する落下防止機構を備えていることを特徴とする天井根太用防振取付金具。
【請求項３】
建物における躯体の側部と天井根太との間に請求項１又は２の天井根太用防振取付金具が介在されていることを特徴とする天井構造。
【請求項４】
請求項３において、
天井根太用防振取付金具の根太金具と、天井根太の端部木口面との間に所定のクリアランスが設けられていることを特徴とする天井構造。
【請求項５】
請求項３又は４において、
天井根太と野縁との間に防振吊木が介在されていることを特徴とする天井構造。
【発明の詳細な説明】
【技術分野】
【０００１】
本発明は、２階建て住宅等の複層階の建物における躯体と、天井材を吊り下げ支持する天井根太との間に防振や防音のために設けられる天井根太用防振取付金具、及びそれを用いた天井構造に関する。
【背景技術】
【０００２】
一般に、２階建て住宅等の複層階の建物においては、２階（上階）での子供の飛び跳ね、人の歩行、椅子等の移動、物の落下等により床材が衝撃を受けると、その床材が１階（階下）の天井材を振動させて、１階（階下）に床衝撃音として伝播される。
【０００３】
そのため、従来、このような階下の防振用天井構造として、特許文献１に示されているように、天井材を支持する天井根太の端部を躯体としての梁に対し、金具を介して固定するとともに、その金具における根太受片の水平部と天井根太の端部との間にエラストマーからなる防振材を介在させたものが提案されている。
【先行技術文献】
【特許文献】
【０００４】
【特許文献１】特開２００５−１６３４１２号公報
【発明の概要】
【発明が解決しようとする課題】
【０００５】
上記特許文献１に示されるものでは、金具と天井根太との間に防振材が介在されているので、一定の防音効果を見込むことができるものの、天井根太の側面や木口面等で金具が直接に接触する箇所があり、振動に音を確実に遮断することが難しい。
【０００６】
また、天井根太と金具との間に介在させる防振材の設置箇所を増やしたとしても、施工の精度や振動時の建物の部分的な変形によって直接に接触する箇所が発生し易くなり、そうなると、本来の意図する防振防音効果を発揮できなくなるという問題があり、改良の余地がある。
【０００７】
本発明は斯かる諸点に鑑みてなされたもので、その目的は、躯体と天井根太との間に介在される金具の構造を改良することで、天井材下側の部屋に対する防振防音効果が確実に発揮できるようにすることにある。
【課題を解決するための手段】
【０００８】
上記の目的を達成するために、この発明では、金具は、躯体側に取り付けられる部分と、天井根太側に取り付けられる部分とを設けて、両者を主に剪断方向に変形するゴム弾性体のみで連結するようにした。
【０００９】
具体的には、第１の発明では、天井根太用防振取付金具は、建物における躯体の側部に取付固定されるベース金具と、このベース金具に水平方向に対向して配置され、野縁を介して天井材を吊り下げ支持するための天井根太が取付固定される根太金具と、上記ベース金具及び根太金具の間に一体的に接着されて固定され、両者を連結するゴム弾性体とを備えてなり、施工状態で上記躯体側と天井根太側との間に上記ゴム弾性体のみが介在されるように構成されていることを特徴とする。
【００１０】
この第１の発明では、天井根太用防振取付金具のベース金具が建物における躯体の側部に取付固定され、その根太金具には天井根太が取付固定される。これらベース金具と根太金具とは水平方向に対向して配置され、かつ両者に一体的に接着固定したゴム弾性体により連結されているので、この天井根太用防振取付金具により天井根太を施工した施工状態では、躯体側と天井根太側との間に上記天井根太用防振取付金具のゴム弾性体のみが介在されることとなる。そのため、それら躯体側と天井根太側とが直接に接触することはなく、振動の伝達が必ずゴム弾性体を通して行われ、そのゴム弾性体の主に剪断方向の変形によって、天井材下側の部屋に対する防振防音効果を確実に発揮させることができる。
【００１１】
第２の発明は、第１の発明に係る天井根太用防振取付金具において、上記ベース金具と根太金具とのゴム弾性体による連結が解除されたときに根太金具がベース金具に対して落下するのを阻止する落下防止機構を備えていることを特徴とする。
【００１２】
この第２の発明では、ベース金具と根太金具とが、それらに一体的に接着固定したゴム弾性体のみによって連結されているので、ゴム弾性体とベース金具又は根太金具との接着固定が外れたりゴム弾性体が破断したりしたときには、天井根太が野縁や天井材と共に落下する虞れがあるが、落下防止機構を設けることで、その落下を防止することができる。
【００１３】
請求項３の発明では、天井構造は、建物における躯体の側部と天井根太との間に上記第１又は第２の発明に係る天井根太用防振取付金具が介在されていることを特徴とする。
【００１４】
この第３の発明では、建物における躯体の側部と天井根太との間に天井根太用防振取付金具が介在されているので、下側の部屋に対する防振防音効果を確実に発揮できる天井構造が得られる。
【００１５】
第４の発明は、第３の発明に係る天井構造において、上記天井根太用防振取付金具の根太金具と、天井根太の端部木口面との間に所定のクリアランスが設けられていることを特徴とする。
【００１６】
この第４の発明では、天井根太用防振取付金具の根太金具と天井根太の端部木口面との間に設けられたクリアランスにより、躯体が変形したり天井根太（木材）が伸縮したとしても、防振取付金具のゴム弾性体に余計な圧縮方向又は引張方向の力がかからず、力は剪断方向のみとなって適切な防振防音性能を確実に安定して発生させかつ永続的に維持することができる。
【００１７】
第５の発明は、第３又は第４の発明に係る天井構造において、上記天井根太と野縁との間に防振吊木が介在されていることを特徴とする。
【００１８】
この第５の発明では、天井根太と野縁との間に防振吊木が介在されているので、この防振吊木により、階上の床材側で発生した振動を吸収して階下の天井材に伝わり難くし、防振及び防音の各効果をさらに向上させることができる。
【発明の効果】
【００１９】
以上説明したように、第１及び第３の発明によると、建物における躯体側と、天井材を吊り下げ支持する天井根太との間に、躯体の側部に取付固定されるベース金具と、ベース金具に水平方向に対向して配置され、天井根太が取付固定される根太金具と、ベース金具及び根太金具の間に一体的に接着固定され、両者を連結するゴム弾性体とを備えた天井根太用防振取付金具を設けたことにより、施工状態では、躯体側と天井根太側との間にゴム弾性体のみを介在させ、躯体側と天井根太側とが直接に接触することはなく、ゴム弾性体の剪断変形によって、天井材下側の部屋に対する防振防音効果を確実に発揮させることができる。
【００２０】
第２の発明によると、ベース金具と根太金具とのゴム弾性体による連結が解除されたときに根太金具がベース金具に対して落下するのを阻止する落下防止機構を設けたことにより、万一、ゴム弾性体とベース金具又は根太金具との接着固定が外れたりゴム弾性体が破断したりしたときにも、天井根太が野縁や天井材と共に落下するのを防止することができる。
【００２１】
第４の発明によると、天井構造における天井根太用防振取付金具の根太金具と、天井根太の端部木口面との間に所定のクリアランスを設けたことにより、躯体が変形したり天井根太（木材）が伸縮したとしても、防振取付金具のゴム弾性体に余計な圧縮方向又は引張方向の力がかからず、適切な防振防音性能を確実に安定して発生させかつ永続的に維持することができる。
【００２２】
第５の発明によれば、天井根太と野縁との間に防振吊木を介在させることにより、階上の床材側で発生した振動を吸収して階下の天井材に伝わり難くし、防振及び防音の各効果をさらに向上させることができる。
【図面の簡単な説明】
【００２３】
【図１】図１は、本発明の実施形態に係る天井根太用防振取付金具の正面図である。
【図２】図２は、天井根太用防振取付金具の側面図である。
【図３】図３は、天井根太用防振取付金具の平面図である。
【図４】図４は、天井根太用防振取付金具を用いた天井構造の正面図である。
【図５】図５は、天井構造の側面図である。
【図６】図６は、防振吊木の正面図である。
【図７】図７は、防振吊木の側面図である。
【図８】図８は、天井構造の施工時に一方の天井根太用防振取付金具をベース金具で上部構造体の周囲材に取付固定した状態を示す側面図である。
【図９】図９は、天井構造の施工時に天井根太を取り付ける状態を示す正面図である。
【図１０】図１０は、天井構造の施工時に天井根太の端部を天井根太用防振取付金具の根太金具に固定する状態を示す正面図である。
【図１１】図１１は、本発明の実施例及び比較例に係る天井根太用防振取付金具の各床衝撃音遮断性能を表にて示す図である。
【図１２】図１２は、本発明の実施例及び比較例に係る天井根太用防振取付金具の各床衝撃音遮断性能をグラフにて示す図である。
【発明を実施するための形態】
【００２４】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２５】
（天井構造）
図４及び図５は本発明の実施形態に係る天井構造を示し、この天井構造は、枠組壁工法（２×４工法）により建てられる例えば２階建て住宅等の建物の天井構造である。
【００２６】
図４及び図５において、１は建物の１階部分及び２階部分の間に配置される躯体としての上部構造体で、この上部構造体１は、木材を２枚重ねた周囲材２（床梁材）と、その周囲材２に架設された複数の床根太３，３，…とを有する。４は上部構造体１上に支持された階上の床材であり、この床材４は床仕上材５及び床下地材６が上から順に積層されてなるものである。
【００２７】
上記床仕上材５は、図では単層構造として表しているが、樹脂化粧シートと、基材と、樹脂マットとが上から順に積層されて構成され、クッション材が用いられた場合に比べて適度な硬さを備えているものが防音性、歩行性の点で好ましい。
【００２８】
上記樹脂化粧シートは表面平滑なものであればよく、例えば樹脂含浸紙、オレフィン系樹脂シート、ポリエチレンテレフタレート樹脂シート等、又はこれらのシートを複合したもの、さらには、これらのシートの表面に塗装加工を施したシート状物を使用することができる。また、上記床材に基材として後述する木質繊維板を用いる場合には、基材が湿気の影響を受けないように、防湿性があり、かつ強度に優れたシートを用いることが好ましい。
【００２９】
上記基材は、一般に床材に使用される可撓性を有する材料であればよく、例えば、合成樹脂系や木質系の木質基材が使用できる。
【００３０】
合成樹脂系の基材としては、塩化ビニル系樹脂、合成ゴム系樹脂、オレフィン系樹脂、これらの樹脂に充填材を混練したもの等が好適に使用される。充填材としては、炭酸カルシウム、硫酸バリウム、酸化アルミ等の高比重無機充填剤や木粉が好適である。
【００３１】
木質基材としては、合板やパーティクルボード等を使用可能であるが、床材の強度及び可撓性を考慮した場合、木質繊維板を用いることが好ましい。木質繊維板は、比重が０．４以上でかつ１．０以下であることが好ましく、さらには、乾式成形された中比重木質繊維板（ＭＤＦ）がより好ましい。
【００３２】
上記樹脂マットは、上記基材として木質基材を使用する場合に特に必要であり、裏担保できるものであればよい。例えば塩化ビニル系樹脂、ウレタン系樹脂、ラテックス系樹脂、ポリエステル系樹脂等、また、これらの樹脂の変性物、あるいは各種再生プラスチック等を使用することができる。この樹脂マットは、使用する施工用接着剤の接着適正を考慮して、その組み合わせにより選択して使用する。接着性と品質安定性の観点からは、塩化ビニル樹脂系樹脂マットが好適に用いられる。なお、上記複層構造の床仕上材５以外にも、一般的に使用される床材を用いることができる。
【００３３】
上記床下地材６は、例えばＡＬＣ（軽量気泡コンクリート）パネル７と、構造用合板８（ＯＳＢ等）とが上から順に積層されて構成されている。なお、床下地材６は一般的な構造のものを用いてもよい。
【００３４】
上記上部構造体１の周囲材２（躯体の側部）には、床根太３，３間の位置に該床根太３と平行に延びる複数の天井根太１１，１１，…が掛け渡されて支持されており、この天井根太１１に野縁受材１２及び野縁１３を介して天井材１４が吊り下げ支持されている。
【００３５】
すなわち、天井根太１１の端部を除く中間部の側面には、後述する防振吊木４３を介して野縁受材１２が固定され、この野縁受材１２の下面には、互いに平行な複数の野縁１３，１３，…が固定され、これら野縁１３，１３，…の下面に２枚の石膏ボードを重ねた階下の天井材１４がタッピングネジＳにより取付固定されている。図４及び図５中、１５は野縁１３上に載置固定された遮音用のグラスウールである。
【００３６】
上記各天井根太１１の両端部はそれぞれ上部構造体１の周囲材２に対し、本発明の実施形態に係る天井根太用防振取付金具２１を介して支持されている。
【００３７】
（天井根太用防振取付金具）
上記防振取付金具２１は、図１〜図３に拡大して示すように、互いに対向するベース金具２２及び根太金具２８と、これらベース金具２２及び根太金具２８間に配置されたゴム弾性体３７とを備えてなる。上記ベース金具２２は矩形状で鉄板等の金属板材のプレス成形品からなり、その左右側部にはそれぞれ複数（図示例では３つ）のネジ挿通孔２２ａ，２２ａ，…が上下に並んで貫通形成されており、各ネジ挿通孔２２ａにタッピングネジＳ（図５、図８、図１０参照）を挿通させて、そのタッピングネジＳを上部構造体１の周囲材２にねじ込んで締結することにより、ベース金具２２を上部構造体１の周囲材２（躯体の側部）に取付固定するようにしている。
【００３８】
一方、上記根太金具２８は、上記ベース金具２２に水平方向に対向して配置される鉄板等の金属板材のプレス成形品からなるもので、矩形平板状の基部２９と、この基部２９の左右側端に連続し、ベース金具２２と反対側に延びるように折り曲げられた左右の側部３０，３０と、基部２９の下側端に連続し、ベース金具２２と反対側に延びるように折り曲げられた底壁部３１とを備えている。左右側壁部３０，３０及び底壁部３１は基部２９からの突出寸法が互いに同じであり、これら基部２９、左右側壁部３０，３０及び底壁部３１により上側、及びベース金具２２と反対側にそれぞれ開放された箱形状に形成されている。左右側壁部３０，３０にはそれぞれ例えば２つのネジ挿通孔２８ａ，２８ａ，…が上下に並んで貫通形成され、底壁部３１にも例えば１つのネジ挿通孔２８ａが貫通形成されており、図１０に示すように、基部２９、左右側壁部３０，３０及び底壁部３１で囲まれる部分に天井根太１１の端部を、該端部下面が底壁部３１に載りかつ端部上側が左右側壁部３０，３０よりも上側に突き出るように嵌挿し、各ネジ挿通孔２８ａにタッピングネジＳを挿通させて、そのタッピングネジＳを天井根太１１にねじ込んで締結することにより、根太金具２８を天井根太１１に取付固定するようにしている。尚、上記左右側壁部３０，３０でのネジ挿通孔２８ａ，２８ａ，…の高さ位置は互いに異なっている。
【００３９】
さらに、上記ゴム弾性体３７は直方体形状の中実ゴムからなり、一端がベース金具２２において根太金具２８の基部２９への対向面に、また他端が該根太金具２８の基部２９においてベース金具２２への対向面にそれぞれ加硫により一体的に接着固定されており、このゴム弾性体３７によりベース金具２２と根太金具２８とが一体的にかつ相対移動可能に連結されている。
【００４０】
そして、このような天井根太用防振取付金具２１を用いて上部構造体１の周囲材２（躯体の側部）に天井根太１１を支持することで、その施工状態では上部構造体１の周囲材２側と天井根太１１側との間に天井根太用防振取付金具２１のゴム弾性体３７のみが介在されるように構成されている。また、その天井根太用防振取付金具２１の根太金具２８の基部２９と、天井根太２８の端部木口面との間には例えば３〜７ｍｍ程度、好ましくは５ｍｍ程度の所定のクリアランスが設けられている（図１０参照）。
【００４１】
上記天井根太用防振取付金具２１には、ベース金具２２と根太金具２８とのゴム弾性体３７による連結が解除されたときに根太金具２８がベース金具２２に対して落下するのを阻止する落下防止機構４０が設けられている。
【００４２】
すなわち、上記ベース金具２２の上端部には、根太金具２８側に水平方向に向かって延びるように折り曲げられた折曲げ部２４と、この折曲げ部２４の根太金具２８側に位置する先端の左右中央部から上側に向かって延びるように折り曲げられ、折曲げ部２４よりも幅が狭い係止部２５とが連続して形成されている。
【００４３】
一方、根太金具２８の基部２９上端には、上側に向かって延びる立ち上がり部３３と、この立ち上がり部３３の上端からベース金具２２側に向かって水平方向に延びるように折り曲げられた折曲げ部３４とが連続して形成されている。この折曲げ部３４の中央には矩形状の係止部挿通孔３５が貫通形成され、この係止部挿通孔３５には上記係止部２５が係止部挿通孔３５の周縁と間隔をあけた状態、つまり係止部２５が折曲げ部３４に接触しない状態で挿通されている。
【００４４】
そして、このような落下防止機構４０においては、通常時には、係止部２５が折曲げ部３４に接触しないので、ゴム弾性体３７の変形による根太金具２８とベース金具２２との相対移動に影響がないが、ゴム弾性体３７が火災時等で焼けて破断したり、そのベース金具２２及び根太金具２８との接着状態が剥がれたりして、ベース金具２２と根太金具２８とのゴム弾性体３７による連結が解除され、そのことで根太金具２８がベース金具２２に対して落下しようとしたとき、根太金具２８の折曲げ部３４が、その係止部挿通孔３５内に位置しているベース金具２２の係止部２５に引っ掛かることにより、根太金具２８がベース金具２２に対して落下するのを阻止するようにしている。
【００４５】
さらに、上記天井根太１１と野縁１３を支持する野縁受材１２との間に防振吊木４３が介在され、野縁受材１２、野縁１３及び天井材１４は防振吊木４３を介して天井根太１１に支持されている。
【００４６】
（防振吊木）
図６及び図７に示すように、上記防振吊木４３は、天井根太１１に取り付けられる第１取付プレート４４と、野縁受材１２に取り付けられる第２取付プレート５０とを備えている。
【００４７】
上記第１取付プレート４４は、２つの鉛直プレート部４５，４６を上下に配置して上側の鉛直プレート部４５の下端と、下側の鉛直プレート部４６の上端とを水平プレート部４７で一体に連結して形成され、上記上側の鉛直プレート部４５の上端側には複数のネジ挿通孔４４ａ，４４ａ，…が形成されており、このネジ挿通孔４４ａにタッピングネジＳ（図４参照）を挿通させて天井根太１１の側面にねじ込むことで、防振吊木４３が第１取付プレート４４で天井根太１１に取付固定されるようになっている。
【００４８】
上記下側の鉛直プレート部４６は、第２取付プレート５０の後述するプレート本体部５１前側でその上端部分を除く下側部分と対向している。また、上記水平プレート部４７には例えば矩形状の長孔４８が形成されている。第１取付プレート４４は矩形金属板材のプレス成形品である。
【００４９】
一方、上記第２取付プレート５０は、略Ｌ形状のプレート本体部５１と、該プレート本体部５１上端から第１取付プレート４４側に折れ曲がった後に上方に延び、軸部５２ａの上端両側に係止片部５２ｂが張り出し形成されたＴ字形状のフック部５２とが一体に形成されてなる。上記プレート本体部５１の下部には複数のネジ挿通孔５０ａ，５０ａ，…が形成されており、このネジ挿通孔５０ａにタッピングネジＳ（図４参照）を挿通させて野縁受材１２の側面にねじ込むことで、防振吊木４３が第２取付プレート５０で野縁受材１２に取付固定されるようになっている。この第１取付プレート２も矩形金属板材のプレス成形品である。
【００５０】
上記第１取付プレート４４の下側鉛直プレート部４６と、第２取付プレート５０のプレート本体部５１の上下中間部との間には、両者を一体に連結する直方体形状のゴム弾性体５４が介在されている。
【００５１】
そして、上記第２取付プレート５０のフック部５２の軸部５２ａが上記第１取付プレート４４の長孔４８に挿通されている。この長孔４８の長径寸法は、上記フック部５２の係止片部５２ｂの長さよりも短く設定されており、例えば火災でゴム弾性体５４が焼けて破損した場合には、天井材１４が落下しないように第２取付プレート５０のフック部５２の係止片部５２ｂが長孔４８の周囲部に係止するようになっている。
【００５２】
尚、上記説明では、防振吊木４３の第１取付プレート４４を天井根太１１に、また第２取付プレート５０を野縁受材１２にそれぞれ取り付けるようにしているが、防振吊木４３の上下位置を逆にし、その第２取付プレート５０を天井根太１１に、また第１取付プレート４４を野縁受材１２にそれぞれ取り付けるようにしてもよく、同様の機能が得られる。
【００５３】
（天井根太及び天井材の施工手順）
次に、上記上部構造体１に天井根太１１及び天井材１４を施工する手順について説明する。最初に各天井根太１１を２つの天井根太用防振取付金具２１，２１によって上部構造体１の周囲材２（躯体の側部）に取付固定する。
【００５４】
具体的には、まず、図８に示すように、上部構造体１の周囲材２（躯体の側部）における側面の所定の高さ位置に各天井根太用防振取付金具２１の取付位置を墨出しする。そして、その一方の取付位置に、天井根太１１の一方の端部に取り付けようとする天井根太用防振取付金具２１を落下防止機構４０が上側に位置するようにベース金具２２で当接させて配置し、タッピングネジＳをベース金具２２の各ネジ挿通孔２２ａに挿通させて周囲材２にねじ込んで締結することにより、天井根太用防振取付金具２１をベース金具２２にて上部構造体１の周囲材２側面に取付固定する。
【００５５】
次いで、天井根太１１を所定の長さ（周囲材２の内々寸法から所定寸法だけ短い長さ）に切断した後、図９に示すように、その天井根太１１の一方の端部を押し上げて天井根太１１を傾斜させ、その押し上げた上側の端部を、上記取り付けた天井根太用防振取付金具２１における根太金具２８の基部２９、左右側壁部３０，３０及び底壁部３１で囲まれる部分内に下面が底壁部３１上に載るように嵌挿する。その状態で、天井根太１１の下側に位置する他方の端部に残りの天井根太用防振取付金具２１を配置し、その根太金具２８の基部２９、左右側壁部３０，３０及び底壁部３１で囲まれる部分内に天井根太１１の端部を嵌挿する。その後、その天井根太１１の他端部を押し上げて、天井根太用防振取付金具２１を取付位置にベース金具２２で当接させて配置し、タッピングネジＳをベース金具２２の各ネジ挿通孔２２ａに挿通させて周囲材２にねじ込んで締結することにより、ベース金具２２を上部構造体１の周囲材２に取付固定する。
【００５６】
この状態では、天井根太１１は未だ固定されていない。その後、図１０に示すように、天井根太１１の端部木口面と天井根太用防振取付金具２１（その基部２９）との間のクリアランスを天井根太１１の両側で均等に例えば３〜７ｍｍ程度、好ましくは５ｍｍ程度に調整した後、各天井根太用防振取付金具２１の根太金具２８における左右側壁部３０，３０及び底壁部３１のネジ挿通孔２８ａにタッピングネジＳを挿通して天井根太１１にねじ込むことで、天井根太用防振取付金具２１と天井根太１１とを固定する。
【００５７】
このようにして天井根太１１が施工されると、その後、天井根太１１に防振吊木４３を介して野縁受材１２、その下面に固定された野縁１３、野縁１３下面に取付固定された天井材１４、及び野縁１３上面に載置固定されたグラスウール１５を吊り下げ支持すればよい。
【００５８】
したがって、上記実施形態においては、天井根太１１の両端部がそれぞれ上部構造体１の周囲材２（床梁材）に対し天井根太用防振取付金具２１，２１を介して支持されている。この各天井根太用防振取付金具２１は、ベース金具２２が建物における上部構造体１の周囲材２に、また根太金具２８が天井根太１１の端部にそれぞれ取付固定され、ベース金具２２と根太金具２８とは、両者に一体的に接着固定したゴム弾性体３７により連結されているものであるので、この両天井根太用防振取付金具２１，２１により天井根太１１を上部構造体１の周囲材２に施工した施工状態では、周囲材２側と天井根太１１側との間に天井根太用防振取付金具２１のゴム弾性体３７のみが介在されることとなる。そのため、それら周囲材２側と天井根太１１側とが直接に接触することはなく、振動の伝達が必ずゴム弾性体３７を通して行われ、ゴム弾性体３７の主として剪断方向の変形によって、天井材１４下側の部屋に対する防振防音効果を確実に発揮させることができる。
【００５９】
しかも、天井根太１１に対し野縁１３や天井材１４が防振吊木４３を介して吊り下げ支持されているので、この防振吊木４３により、階上の床部分で発生した振動が吸収されて階下の天井材１４に伝わり難くなり、防振及び防音の各効果をさらに向上させることができる。
【００６０】
さらに、上記天井構造では、天井根太用防振取付金具２１における根太金具２８の基部２９と、天井根太１１の端部木口面との間に所定のクリアランスが設けられているので、仮に、上部構造体１（躯体）が変形したり或いは木材からなる天井根太１１が伸縮したとしても、上記クリアランスにより、防振取付金具２１のゴム弾性体３７に余計な圧縮方向又は引張方向の力がかからなくなり、加わる力は剪断方向のみとなる。その結果、防振取付金具２１による適切な防振防音性能を確実に安定して発生させかつ永続的に維持することができる。
【００６１】
尚、施工手順は、天井根太１１の両端に防振取付金具２１を取り付けてから周囲材２に固定する方法でもよいが、上記施工手順のように、防振取付金具２１の一方を周囲材２に固定してから天井根太１１を取り付ける手順であれば、ゴム弾性体３７に圧縮方向又は引張方向の力がかかり難い状態で施工できるので望ましい。
【００６２】
上記のように、周囲材２側と天井根太１１側との間に天井根太用防振取付金具２１のゴム弾性体３７のみが介在されている構造では、ゴム弾性体３７が火災時等で焼けて破断したり、そのベース金具２２及び根太金具２８との接着状態が剥がれたりして、ベース金具２２と根太金具２８とのゴム弾性体３７による連結が解除されたとき、根太金具２８側の天井根太１１が野縁１３や天井材１４と共に落下する虞れがある。しかし、この実施形態では、ベース金具２２と根太金具２８とのゴム弾性体３７による連結が解除されたときに根太金具２８がベース金具２２に対して落下するのを阻止する落下防止機構４０が設けられているので、根太金具２８がベース金具２２に対して落下しようとしても、根太金具２８の折曲げ部３４が、その係止部挿通孔３５内に位置しているベース金具２２の係止部２５に引っ掛かる。このことにより、根太金具２８側の天井根太１１、野縁１３や天井材１４がベース金具２２側の周囲材２に対して落下するのを確実に阻止することができる。
【００６３】
（その他の実施形態）
尚、上記実施形態では、枠組壁工法（２×４工法）により建てられる建物の天井構造について説明しているが、本発明は、軸組工法（木造在来工法）や軽量鉄骨等により建てられる建物の天井構造に対しても適用することができる。
【実施例】
【００６４】
次に、具体的に実施した実施例について説明する。
【００６５】
（実施例）
実施例として、上記図４及び図５に示す実施形態の天井構造を施工した。床仕上材５は厚み１７ｍｍのＮＥＯ高遮音フローリング材、床下地材６は、厚み３５ｍｍのＡＬＣパネル７と、厚み１５ｍｍのＯＳＢとが上から順に積層されたものである。周囲材２は３８×２３５ｍｍの木材を２枚重ねたものとし、床根太３は３８×２３５ｍｍのものを用いた。天井根太１１は３８×１４０ｍｍのものを、また野縁受材１２は３０×４０ｍｍのものを、さらに野縁１３は３０×４０ｍｍのものをそれぞれ用いた。天井材１４は厚み１２．５ｍｍの石膏ボードを２枚重ねたものである。グラスウール１５は密度が２４ｋｇ／ｍ３で厚み５０ｍｍのものを用いた。
【００６６】
（比較例）
天井根太１１を用いず、床根太３に防振吊木４３を介して野縁受材１２、野縁１３、天井材１４及びグラスウール１５を吊り下げ支持した。天井材１４は厚み１５．０ｍｍの１枚の石膏ボードからなる。その他は実施例と同じである。
【００６７】
（遮音性能）
上記実施例及び比較例に関して、オクターブ帯域中心周波数の軽量床衝撃音及び重量床衝撃音のレベルについて測定した。その結果を図１１及び図１２に示す。
【００６８】
この結果を見ると、軽量床衝撃音については、実施例は比較例と同等である。一方、重量床衝撃音については、比較例のＬ値が６０であるのに対し、実施例のＬ値は５５であり、実施例の特に重量床衝撃音の遮断性能が向上している。このことにより、本願発明のように、天井根太用防振取付金具２１を天井構造に用い、施工状態で躯体側と天井根太１１側との間に天井根太用防振取付金具２１のゴム弾性体３７のみが介在されていると、床衝撃音の遮断性能を向上できることが判る。
【産業上の利用可能性】
【００６９】
本発明は、天井材下側の部屋に対する階上の床衝撃音の遮断性能が確実に向上するので、極めて有用であり、産業上の利用可能性が高い。
【符号の説明】
【００７０】
１  上部構造体（躯体）
２  周囲材（躯体の側部）
３  床根太
１１  天井根太
１２  野縁受材
１３  野縁
１４  天井材
２１  天井根太用防振取付金具
２２  ベース金具
２４  折曲げ部
２５  係止部
２８  根太金具
３４  折曲げ部
３５  係止部挿通孔
３７  ゴム弾性体
４０  落下防止機構
４３  防振吊木
４４  第１取付プレート
５０  第２取付プレート
５４  ゴム弾性体
【図１】
2014037751.tif 000003
【図２】
2014037751.tif 000004
【図３】
2014037751.tif 000005
【図４】
2014037751.tif 000006
【図５】
2014037751.tif 000007
【図６】
2014037751.tif 000008
【図７】
2014037751.tif 000009
【図８】
2014037751.tif 000010
【図９】
2014037751.tif 000011
【図１０】
2014037751.tif 000012
【図１１】
2014037751.tif 000013
【図１２】
2014037751.tif 000014